(57)【要約】【課題】洗濯挟みを、子供や指先の機能に衰えのある老人であっても扱えるように、その洗濯挟みの一対に対向する挟み片の開閉作動が、僅かの力で的確に行えるようにする。【解決手段】突き合わせ部をヒンジ軸２により連結して挟み片１と挟み片１とを互いに回動するよう組み合わせ、これら挟み片１・１の各基端側の内面側で対向する部位に、挟み片１・１の長手方向に連続するガイド溝ａ・ａを、それらの対向間隔が挟み片１・１の基端側に向かうに従い狭くなるように前記長手方向に対し傾斜させて形設し、その挟み片１・１の基端側の対向間隔内には、左右の両端部が前記一対のガイド溝ａ・ａに嵌合して挟み片１・１の長手方向に動く作動片ｂを配設し、その作動片ｂに、それを動かす作動杆となる吊杆４を連結して、それの上端側を挟み片１・１の基端側の外方に突出させる。【選択図】        図３
2004180983.tif 000002
【特許請求の範囲】
【請求項１】
先端側の内面に挟持面１０を設け基端側の外面につまみ部１１を形成した挟み片１を一対に対向させて、それら挟み片１・１の長手方向の中間部の内面側に形成した突起部１２と突起部１２とを突き合わせ、その突き合わせ部をヒンジ軸２により連結して挟み片１と挟み片１とを互いに回動するよう組み合わせ、これら挟み片１・１の各基端側の内面側で対向する部位に、挟み片１・１の長手方向に連続するガイド溝ａ・ａを、それらの対向間隔が挟み片１・１の基端側に向かうに従い狭くなるように前記長手方向に対し傾斜させて形設し、その挟み片１・１の基端側の対向間隔内には、左右の両端部が前記一対のガイド溝ａ・ａに嵌合して挟み片１・１の長手方向に動く作動片ｂを配設し、その作動片ｂに、それを動かす作動杆となる吊杆４を連結して、それの上端側を挟み片１・１の基端側の外方に突出させ、この吊杆４により作動片ｂをガイド溝ａ・ａの外端側に動かすことにより挟み片１・１が閉じ合わされるようにしたことを特徴とする洗濯挟み。
【請求項２】
一対の挟み片１・１のヒンジ軸２よりも先端側に寄る部位の各内面側に、挟み片１と挟み片１との先端側が閉じ合わされたときに互いに嵌合して閉じ合わされた状態に保定する嵌合凹溝ｏと嵌合突起ｐとを設けておくことを特徴とする請求項１記載の洗濯挟み。
【請求項３】
一対の挟み片１・１の基端側の各内面に対向させて設けるガイド溝ａ・ａの溝底５０を、階段状に形成するとともに、それぞれの段の溝底を略垂直な方向に沿う平面５０ａと凹面５０ｂとが交互に位置するよう形成し、かつ、一方のガイド溝ａの平面５０ａの溝底５０と他方のガイド溝ａの凹面５０ｂの溝底５０とが対向するように喰い違わせて形設しておくことを特徴とする請求項１記載の洗濯挟み。
【請求項４】
帯板状に長く形成した一対の挟持板７・７の長手方向の両端部に、洗濯挟みＡの主体部となる一対の挟み片１・１を一体に連続させてそれぞれ設け、それらの各一対の挟み片１・１の長手方向の中間部の内面側の突起部１２と突起部１２とを突き合わせてヒンジ軸２により互いに回動するよう連結し、それら挟み片１・１の基端側の内面側で対向する部位に、その挟み片１・１の長手方向に連続するガイド溝ａ・ａを、それらの対向間隔が挟み片１・１の基端側に向け次第に狭くなるよう前記長手方向に対し傾斜させて形設し、挟み片１・１の基端側の対向間隔内には、左右の両端部が前記一対のガイド溝ａ・ａに嵌合して挟み片１・１の長手方向に動く作動片ｂを配設し、その作動片ｂにそれを動かす作動杆となる吊杆４を連結して、それの上端側に挟み片１・１の基端側の外方に突出させ、この吊杆４により作動片ｂをガイド溝ａ・ａの外端側に動かすことにより挟み片１・１の先端側に連結する一対の挟持板７・７が閉じ合わされるようにしたことを特徴とする洗濯挟み。
【発明の詳細な説明】
【０００１】
【発明が属する技術分野】
本発明は、洗濯物を干すときに、洗濯物を挟んで、物干紐または物干竿に吊り下げるように用いる洗濯挟みについての改良に関する。
【０００２】
【従来の技術】
洗濯物を干すときに、その洗濯物を挟んで締め付けることで保持するように用いる洗濯挟みまたはピンチは、通常、図１にあるように、先端側の内面に挟持面１０を設けて尾端側の外面につまみ部１１を形設した挟み片１を形成して、その挟み片１・１を左右に一対に対向させ、それら挟み片１・１の各内面側で長手方向の中間の部位に設けた突起部１２と突起部１２とを突き合わせて、ヒンジ軸２により回動自在に連結し、かつ、これら挟み片１と挟み片１とに、それらを先端側の挟持面１０と挟持面１０とが互いに接合して閉じ合わされる状態とするバネ材３を組み付けて構成してあって、使用するときには、一対の挟み片１・１の尾端側（基端側）のつまみ部１１とつまみ部１１とを、片方の手の親指と人さし指とでつまんで、バネ材３のバネ圧に抗して強くつまみ込むことにより、先端側の挟持面１０と挟持面１０との間を拡き、その間に挟持させようとする洗濯物を位置させて、つまみ込んだ指先の力を解放することにより洗濯物を挟持した状態とし、これによって、洗濯物を吊り下げた状態とするように用いられている。
【０００３】
【発明が解決しようとする課題】
上述の洗濯挟みは、開閉回動する一対の挟み片１・１による洗濯物の挟持が、その一対の挟み片１・１を閉じ合わせる方向に付勢するバネ材３のバネ力によっていることから、かなり強いバネ圧のバネ材３を使用している。
【０００４】
このため、通常の人では、苦にならないが、力のおとろえた老人や力の弱い子供または指先を怪我した人にとっては、一対の挟み片１・１をバネ材３のバネ圧に抗してつまみ込むのが困難で使いこなせない問題があり、特に、老人は指先の機能に衰えがあることで殆どつかいこなせず、洗濯物を干すときに、洗濯挟みＡを使用しないで、物干竿または物干紐に掛けるだけで行うことから、乾いた洗濯物が風に飛ぶようになり、洗濯物を干す作業に不都合を生ぜしめている。
【０００５】
本発明は、従前の洗濯挟みに生じている上述の問題を解消せしめるためになされたものであって、洗濯挟みを、子供や指先の機能に衰えのある老人であっても扱えるように、その洗濯挟みの一対に対向する挟み片の開閉作動が、僅かの力で的確に行えるようにする新たな手段を提供することを目的とする。
【０００６】
【課題を解決するための手段】
上述の目的を達成するための本発明手段は、洗濯挟みを、先端側の内面に挟持面１０を形設し尾端側（基端側）の外面側に、つまみ部１１を形成した挟み片１を一対に対向させ、それら挟み片１と挟み片１との各長手方向の中間の内側に設けた突起部１２と突起部１２とを突き合わせてヒンジ軸２により互いに回動するよう連結することで組み立てるが、それの一対に対向する挟み片１・１には、それらの先端側を閉じ合わせる方向に付勢するバネ材を用いないで、バネ圧の抵抗を受けることなく、自由に開閉回動する状態としておく。
【０００７】
そして、これら挟み片１・１のつまみ部１１・１１の対向位置に挟み片１・１の長手方向に連続するガイド溝ａ・ａを、一対に対向するように設け、かつ、それらガイド溝ａ・ａの対向間隔が、挟み片１・１の尾端側に向かうに従い狭くなるように挟み片１の長手方向に対し傾斜させておき、一対の挟み片１・１のつまみ部１１・１１の対向間隔内には、中心部位に吊杆４が連結する作動片ｂを配設して、それの左右の側端部を前述の一対に対向するガイド溝ａ・ａにスライド自在に嵌装して、吊杆４の引き上げにより作動片ｂをガイド溝ａ・ａの外端側に引き出すことで、一対に対向する挟み片１・１が、ヒンジ軸２中心に先端側の挟持面１０・１０が閉じ合わされる方向に回動し、吊杆４の押し下げることにより作動片ｂをガイド溝ａ・ａの内端側に押し下げることで、一対に対向する挟み片１・１が、それの先端側の挟持面１０・１０を自由に開閉できる状態になるようにする手段を提起するものである。
【０００８】
この手段によれば、洗濯挟みＡの開閉が、作動片ｂを押し上げ下げすることで、自由に行えるようになり、作動片ｂを引き出し方向に動かすことで、洗濯挟みＡの閉鎖作動が行われるようになるから、指先の機能に衰えのある老人でも的確に扱えるようになる。
【０００９】
また、作動片ｂを押し引きする吊杆４は、それを、物干竿または物干紐に引き掛けるフックと連結しておくことが可能であるから、そのようにしておくことで、洗濯挟みＡを物干竿または物干紐に吊り下げた状態において、吊杆４を握って作動片ｂを保定しておいて、この作動片ｂに対し洗濯挟みＡの本体となる一対の挟み片１・１を上昇させれば、一対の挟み片１・１が自由に開閉するようになり、逆に洗濯挟みＡの本体を引き下げれば、閉じられた状態となり、その状態で手を放せば、洗濯挟みＡに挟持させた洗濯物の重量で一対の挟み片１・１が閉じ側に回動する方向に力が働くようになるから、洗濯物の挟持も確実なものとなる。
【００１０】
また、この手段は、例えば、ズボンハンガーのように、開閉する一対の挟み片の挟持面が左右に巾の広いものである場合に対しても、これに組み込むことで、その挟み片を開閉させる開閉器として利用できるようになる。
【００１１】
【発明の実施の形態】
次に本発明の実施の態様を実施例につき図面に随い詳述する。
図２は本発明手段を実施せる洗濯挟みＡの、先端側を開放した状態の全体の正面図、図３は同上の洗濯挟みの先端側を閉鎖させた状態の縦断正面図で、同図において、１・１は一対に対向させた挟み片、２はこの一対の挟み片１・１を開閉回動自在に連結するヒンジ軸、ｂはそのヒンジ軸２より基端側（図において上端側）に寄る位置における一対の挟み片１・１の対向間隔内に、その挟み片１・１の長手方向に可動に配設した作動片、４はその作動片ｂに連結する吊杆を示す。
【００１２】
挟み片１は、樹脂材、金属材などの適宜の素材により、通常の洗濯挟みＡの挟み片１と同様に、先端側の内面側に挟持面１０を具備し、基端側の外面側につまみ部１１を形成し、長手方向の中間部の内面側に、対向する挟み片１に向け突出する突起部１２を形設した形状に成形しておいて、この挟み片１を一対に対向させて組み合わせ、このとき突き合わせる突起部１２と突起部１２とをヒンジ軸２により連結することで、互いに開閉回動するようにすることについては、従前の洗濯挟みＡの挟み片１と同様に形成してよい。
【００１３】
しかし、この挟み片１・１には、それらのつまみ部１１とつまみ部１１との対向部位で、ヒンジ軸２よりも基端側に寄る部位の各内面側に、その部位に配設する作動片ｂを、ヒンジ軸２を通る中心線Ｆに沿う方向に可動とするためのガイド溝ａ・ａを一対に対向するように設ける。
【００１４】
このガイド溝ａ・ａは、それらの溝底５０・５０の対向間隔が、挟み片１・１の基端側に向かい次第に狭くなるように、挟み片１の長手方向に対し傾斜させて形設する。
【００１５】
そして、このガイド溝ａ・ａは、挟み片１と挟み片１とがそれの先端側を閉じ合わせた状態において、挟み片１・１の基端側に位置する外端側における対向間隔Ｄが、前述の挟み片１と挟み片１との対向部位に配設する作動片ｂの左右の間隔巾よりも狭くなるように設定して装設する。
【００１６】
また、このガイド溝ａの溝底５０は、片方は平滑面に形成してよいものであるが、図示する実施例のものにあっては、階段状に形成してあり、かつ、各段における溝底５０を、一対の挟み片１・１が図３にあるように先端側を閉じられた状態において、中心線Ｆに対し平行する略垂直な平面５０ａと凹面５０ｂとが交互に位置するように形成し、さらに、この各段における溝底が、左右の挟み片１と挟み片１との関係において、一方の挟み片１のガイド溝ａの溝底の平面５０ａが他方の挟み片１のガイド溝ａの溝底の凹面５０ｂと対向するように、配列位置をずらせてあり、これにより、作動片ｂの左端側が左方の挟み片１のガイド溝ａの凹面５０ｂとなっている溝底に接当したときに、その作動片ｂの右端側が右方の挟み片１のガイド溝ａの平面５０ａとなっている溝底に当接していくようにしている。
【００１７】
一対の挟み片１・１の長手方向の中間部位に設ける突起部１２と突起部１２とを連結して、挟み片１と挟み片１とが互いに開閉回動するように軸着連結するためのヒンジ軸２は、挟み片１・１とは別体に形成して、突起部１２と突起部１２とに設けておく軸穴に嵌挿するようにしてよいものであるが、この例においては、挟み片１・１を合成樹脂材で成形するようにしていることから、挟み片１・１と一体に連続させて成形する突起部１２・１２の各突出端部に、図４および図５にあるように、互いに喰い合って重合する喰い合い部１２０・１２０をそれぞれ設けて、この喰い合い部１２０・１２０に、一方には半球状または円柱状の凸部ｗを設け他方にはこの凸部ｗと嵌合する凹面状の凹部ｙを設けておいて、この凸部ｗと凹部ｙとの嵌合によりヒンジ軸２が構成されるようにしている。
【００１８】
一対の挟み片１・１のつまみ部１１とつまみ部１１とが対向する間隔部位に配設する作動片ｂは、前後の巾が対向する挟み片１・１の前後の巾内に収まる寸法で、左右の巾が一対の挟み片１・１の内面側の対向間隔に対応する寸法となる盤状乃至板状の適宜の形状に形成するが、それの左右の両端部には、前述したガイド溝ａ・ａに嵌合する嵌合部を形設する。
【００１９】
この嵌合部は、作動片ｂが平面視において、図６にあるような形状に形成されていて、それの左右の両端が一対の挟み片１・１の各内面側に形設したガイド溝ａ・ａに嵌入するようになっている場合には、格別に形設する必要はない。
【００２０】
また、作動片ｂは、それを、左右の両端部が対向するガイド溝ａ・ａの内端側（図２・図３において下端側）のエンドまで押し込んだときに、図７にあるように、底面側がヒンジ軸２を設けた左右の挟み片１の突起部１２・１２の上面に当接する形状に形成してよく、むしろ、このようにすることが望ましい。
【００２１】
また、この作動片ｂの上面側には、中心部位に上方に延出する吊杆４を設ける。この吊杆４は、作動片ｂをガイド溝ａ・ａに沿い動かすための操作杆でもあり、組み立てられた洗濯挟みＡの基端側となる上方に、手で把持し得る程度の長さに突出するようになればよいものであって、前述の図７にあるように、突出端部に把持部４０となるコイン状のつまみ片を一体に連続させて設け、それに吊り紐等を通す透孔４１を開設しておき、この透孔４１に通した紐により適宜の個所に吊り下げるようにするか、または、この透孔４１に、物干紐または物干竿に設けておくフックを引き掛けて吊り下げるようにする。この把持部４０は、図８にあるように、開裂のあるループ状の吊環に形成してよい。
【００２２】
また、この吊杆４は、それの上端側に図９にあるように、物干竿Ｐに引き掛ける大型のフック６を一体に連続させて形設し、そのフック６には、図８にあるように、物干竿Ｐに引き掛けたときに、その物干竿Ｐに対しフック６を係着させるための、弾性を具備する素材により一対のアームが物干竿Ｐの外径よりも狭い間隔で対向して略Ｖ字型をなす形状に成形した係着部材６０を支軸６１中心に自在に回動するよう設けておいて、物干竿Ｐに引き掛けたときに、このＶ字型の係着部材６０に物干竿Ｐの外周面の半周弱が押し込まれた状態で図９において鎖線に示しているよう上向きに回動し、これにより、このＶ字型の係着部材６０の弾性による復元力で物干竿Ｐをフック６の内周面に押し付けるようになってフック６が物干竿Ｐに係着していくようにする。
【００２３】
さらに、このフック６には、それの内周面の上縁部位に、前述の図９にあるように、上方に向け狭い巾で嵌入する縊れ部６２を形設し、それの内腔に、基端側がフック６に連結して支持され、先端側が縊れ部６２内に突入する角状乃至舌片状のアーム６３を、弾性を具備する素材により成形して配位し、フック６を物干紐Ｒに引き掛けたときに、その物干紐Ｒが図９で鎖線で示しているように、角状のアーム６３に接触してそれを撓わませながら、そのアーム６３と縊れ部６２の内周面との間に嵌入して、角状のアーム６３の弾性の復元力により縊れ部６２の内周面に圧接されてフック６に係着するようにしておく。
【００２４】
これにより、洗濯挟みＡを開閉する作動片ｂに連結する吊杆４の上端側に設けたフック６を、物干竿Ｐまたは物干紐Ｒに引き掛けて吊り下げたときに、そのフック６が物干竿Ｐまたは物干紐Ｒに係着することで、洗濯挟みＡに挟持させた洗濯物が風であおられたときに、物干竿または物干紐に対して動いたり外れたりするのを防止し得るようになる。
【００２５】
このように構成する洗濯挟みＡは、洗濯物を挟み込むときには、一方の手で、洗濯挟みＡの本体となる一対の挟み片１・１を持ち、他方の手で作動片ｂに連結する吊杆４またはそれに連結する把持部４０を持って、一対の挟み片１・１の対向間隔内に押し込み、それにより作動片ｂを一対に対向するガイド溝ａ・ａの内端側に突き落とすようにする。
【００２６】
これにより、ヒンジ軸２により連結して一対に対向する挟み片１・１が、ヒンジ軸２中心に自由に開閉する状態となるから、この状態で、一対の挟み片１・１の一方または両方を動かしてそれらの先端側が開放した状態にし、そこに洗濯物を挿入し、そこで、吊杆４を引き出すように操作することで作動片ｂを対向するガイド溝ａ・ａの外端側に動かすことにより、一対の挟み片１・１の先端側が閉じ合わされて、洗濯物が洗濯挟みＡに挟持された状態になり、吊杆４をそれの上部に設ける紐・フック６などの適宜の吊り具により物干竿または物干紐に吊り下げられるようになる。
【００２７】
また、洗濯物を外すときは、吊杆４を持って、それに対して、洗濯挟みＡの本体となる一対の挟み片１・１を持ち上げてやるようにするば、作動片ｂが一対のガイド溝ａ・ａの内端側に動いて、一対の挟み片１・１が自由に開閉回動するようになるから、その状態としたところで挟み片１・１の一方または両方を開いてやることで洗濯物は取り外される。
【００２８】
図１０は、別の実施例を示している。この例は、一対に挟み片１・１を、それらの内面側の先端側には挟持面１０を設け、基端側には一対に対向するようガイド溝ａ・ａを挟み片１・１の長手方向に対し傾斜状態に設け、中間部には突起部１２をそれぞれ設けた形状に成形しておいて、その突起部１２・１２をヒンジ軸２により回動自在に連結することで組み立て、そのとき挟み片１・１の基端側と基端側との間隔内には、左右の両端部が前述の一対のガイド溝ａ・ａのそれぞれの嵌合する作動片ｂを装入し、それに吊杆４を連結させておくことで、吊杆４の操作により作動片ｂを動かすことにより、一対の挟み片１・１がヒンジ軸２中心に自由に開閉回動する状態と先端側を閉じ合わせた状態とに切り換わるようにすることについては、前述した実施例のものと変わりがないが、一対の挟み片１・１の先端側の内面側には、挟み片１と挟み片１とを閉じ合わせたときに、一方の挟み片１の内面側に設けておく嵌合凹溝ｏと他方の挟み片１の内面側に設けておく嵌合突起ｐとが嵌り合うことで、挟み片１と挟み片１とを閉じた状態に仮とじするよう軽くロックするロック機構ｑを設けている例である。
【００２９】
そして、この例の洗濯挟みＡは、一対の挟み片１・１を、弾性を具備する合成樹脂材で成形し、その成形の際に、挟み片１・１の内面側で、ヒンジ軸２と先端の挟持面１０との間に位置する部位に、一方の挟み片１にあっては、正面側において刳り込み溝状の弾性材よりなる嵌合凹溝ｏを成形し、他方の挟み片１にあっては、この嵌合凹溝ｏに嵌入していく弾性材よりなる嵌合突起ｐを設けておくことで、図１１にあるよう挟み片１・１を閉じ合わせときに、嵌合凹溝ｏとそれに嵌入する嵌合突起ｐとの嵌合により、挟み片１と挟み片１を閉じ合わせた状態に仮締めロックするロック機構ｑを構成するようにしている。
【００３０】
次に図１２乃至図１４はさらに別の実施例を示している。この例は、洗濯挟みＡを、靴下・ハンカチなどの小物を対象としたものではなく、ズボン・スカートなどの比較的重量のある大きな衣服類を対象とするズボンハンガーまたはスカートハンガーとなるように構成した例である。
【００３１】
この例においても、洗濯挟みＡは、一対に対向してヒンジ軸２により開閉回動する挟み片１・１の先端側の内面側に、挟持面１０をそれぞれ設け、基端側の内面側には、挟み片１の長手方向に対し傾斜するガイド溝ａ・ａを一対に対向させて形設し、これに作動片ｂをそのガイド溝ａ・ａの方向に可動に嵌合し、この作動片ｂをそれの連結する吊杆４の操作により動かして、一対の挟み片１・１が閉じ合わされた状態と自在に開放回動する状態とに切り換わるように構成することについては、前述した各実施例のものと変わりないが、挟み片１・１の先端側の内面側に形設する挟持面１０は、ズボン・スカートを挟持させるため、左右に長い帯板状に形成する必要があることから、洗濯挟みＡを、左右に２連に並列させ、かつ、それらの、挟持面１０・１０を形成する先端側を、左右に長い帯板状の挟持板７に形成して、２連に並列する洗濯挟みＡ・Ａのそれぞれの本体となる挟み片１・１の先端側が、この帯板状の挟持板７・７により一体に連結した形態としている。
【００３２】
いいかえるならば、左右に長い帯板状をなす一対の挟持板７・７の、左右の両端側に、洗濯挟みＡの主体部となる一対の挟み片１・１がそれぞれ一体に連結した形態としている。
【００３３】
そして、一対に対向する左右に長い帯板状の挟持板７・７は、それの長手方向の中間部位の各上面側に、それぞれ連結軸受部７０・７０を設けて、これに貫通する支軸８により互いに回動するよう連結し、その支軸８の左右の両端部を、挟持板７・７の両端部にそれぞれ一体に連結させて設ける一対の挟み片１・１の内面側の突起部１２と突起部１２との突き合わせ部位に貫通させて、これを軸支するヒンジ軸２となるようにしている。
【００３４】
そして、また、前述の連結軸受部７０・７０の上面側に、フック６を連結させて設け、このフック６を物干竿または物干紐に吊り下げることにより、洗濯挟みＡの懸架が行えるようにしている。
【００３５】
そして、フック６は、物干竿Ｐに懸架したときは、フック６を成形している素材の弾性と、フック６の内面側に形成している弧状の凹部６ａおよび凹部６ｂとで、通常の径（２２φ）の物干竿Ｐ１または大径（３０φ）の物干竿Ｐ２でもそれに係着するようになり、また物干紐Ｒに懸架したときは、フック６の上縁側に設けた縊れ溝６２とそこに先端側が臨む舌片状の弾性アーム６３とで物干紐Ｒに係着していくようにしている。
【００３６】
【発明の効果】
本発明手段によれば、洗濯挟みＡの開閉が、作動片ｂを上下させることで、自由に行えるようになり、作動片ｂを引き出し方向に動かすことで、洗濯挟みＡの閉鎖作動が行われるようになるから、指先の機能に衰えのある老人や子供でも的確に扱えるようになる。
【図面の簡単な説明】
【図１】従前の洗濯挟みの縦断正面図である。
【図２】本発明手段を実施せる洗濯挟みの縦断正面図である。
【図３】同上の洗濯挟みの作動片の押し込みにより開閉が自由に行われるようになった状態の縦断正面図である。
【図４】同上の洗濯挟みのヒンジ部分の組立前の状態における横断平面図である。
【図５】同上のヒンジ部分の連結状態における横断平面図である。
【図６】同上の洗濯挟みの一部破断した平面図である。
【図７】同上の洗濯挟みの別の実施例の縦断正面図である。
【図８】同上の洗濯挟みの作動片の別の実施例の正面図である。
【図９】同上の洗濯挟みの作動杆の吊杆に設けたフックの正面図である。
【図１０】同上の洗濯挟みの別の実施例の縦断正面図である。
【図１１】同上の実施例の洗濯挟みの閉じ合わされた状態の縦断正面図である。
【図１２】同上の洗濯挟みのさらに別の実施例の一部破断した側面図である。
【図１３】同上の実施例の洗濯挟みの縦断正面図である。
【図１４】同上の洗濯挟みの一対の挟持板を開いた状態における縦断正面図である。
【符号の説明】
Ａ…洗濯挟み、Ｆ…中心線、Ｐ…物干竿、Ｒ…物干紐、ａ…ガイド溝、ｂ…作動片、ｏ…嵌合凹溝、ｐ…嵌合突起、ｑ…ロック機構、ｗ…凸部、ｙ…凹部、１…挟み片、１０…挟持面、１１…つまみ部、１２…突起部、１２０…喰い合い部、２…ヒンジ軸、３…バネ材、４…吊杆、４０…把持部、４１…透孔、５０…溝底、５０ａ…平面、５０ｂ…凹面、６…フック、６ａ・６ｂ…弧状の凹部、６０…係着部材、６１…支軸、６２…縊れ部、６３…アーム、７…挟持板、７０…連結軸受部、８…支軸。
【図１】
2004180983.tif 000003
【図２】
2004180983.tif 000004
【図３】
2004180983.tif 000005
【図４】
2004180983.tif 000006
【図５】
2004180983.tif 000007
【図６】
2004180983.tif 000008
【図７】
2004180983.tif 000009
【図８】
2004180983.tif 000010
【図９】
2004180983.tif 000011
【図１０】
2004180983.tif 000012
【図１１】
2004180983.tif 000013
【図１２】
2004180983.tif 000014
【図１３】
2004180983.tif 000015
【図１４】
2004180983.tif 000016